【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  下記を具備する、開始基地局が短いメッセージを送信する時間で移動局が代替の周波数をモニターする時間をコーディネートするための方法：
ａ）  移動局が開始周波数以外の周波数を受信するために同調される時を開始基地局で決定する；及び
ｂ）  移動局により、開始周波数から開始周波数以外の周波数に同調する
ｃ）  データ・サンプルを収集し記憶する
ｄ）  開始周波数に再同調する、
ｅ）  移動局が開始周波数以外の周波数に同調される時の認識に基いて、移動局が開始周波数を受信するために同調されていることを認識される時にのみ短いメッセージを送信する。
【請求項２】  移動局が開始周波数以外の周波数に同調する時を決定する工程が、特定の時間に開始周波数以外の周波数に同調することを移動局に命令するメッセージを送信することを含む、請求項１の方法。
【請求項３】  移動局が開始周波数以外の周波数に同調される時を決定する工程が、特定の期間内のいずれかの時間に開始周波数以外の周波数に同調することを移動局に命令するメッセージを送信することを含む、請求項１の方法。
【請求項４】  マルチパス信号が、ハンドオフを実施する前に、移動局により受信されるハンドオフ目標基地局からのパイロット信号オフセットを、移動局が識別する、請求項１に記載の方法。
【請求項５】  移動局がハンドオフのために割り当て可能なマルチパス信号を探すためのサーチウインドウを、移動局が狭くする、請求項１の方法。
【請求項６】  下記工程を具備する、開始基地局が短いメッセージを送信する時間で、移動局が代替の周波数をモニターする時間をコーディネートするための方法：
ａ）  移動局が開始周波数以外の周波数を受信するために同調されることができる時を表示する命令を開始基地局から受信する；
ｂ）  移動局により、開始周波数から開始周波数以外の周波数に同調する、
ｃ）  データ・サンプルを収集し記憶する
ｄ）  開始周波数に再同調する、及び
ｅ）  開始基地局から受信した命令に基いて、移動局が開始周波数以外の周波数に同調される期間を決定する。
【請求項７】  無線通信システムにお
いて、移動局支援ハードハンドオフがより遅く実行されるのに適したシステム
をサーチする間に、移動局と基地局間の通信リンク中のデータのロスを最小に
するための方法、該方法は下記を具備する：
最初の周波数で開始基地局と通信する；
最初の周波数から第２の周波数に同調する；
第２の周波数で受信したデータ・サンプルを記憶する；及び
パイロット信号オフセットのために記憶されたデータ・サンプルをサーチ
する。
【請求項８】  第1の周波数に同調され、移動局に受信された情報にエラー訂正符号を適用することにより、第2の周波数に同調され、移動局に受信されない情報を回復する、をさらに具備する請求項７の方法。
【請求項９】  エラー訂正により第2の周波数に同調されたが、移動局には受信されない情報を回復するために、移動局により使用される第1の周波数で情報が送信されている時に、開始基地局で送信パワーの量を増加することをさらに具備する、請求項８の方法。
【請求項１０】  エラー訂正符号は、ブロック符号とインターリーブを有する、請求項８の方法。
【請求項１１】  開始基地局がフルレート・フレームを送信する時に、第1の周波数でパンクチャリング・パワー制御命令を遅延する、をさらに具備する請求項９の方法。
【請求項１２】  移動局が、第1の周波数でより低いレートで送信された冗長情報を取り除くによりデータのロス無しで第２の周波数に同調することができる時間期間にウインドを提供することをさらに具備する、請求項７の方法。 
【請求項１３】  移動局支援ハードハンドオフがより遅く実施されるに適したシステムをサーチする間に、移動局と基地局間の通信リンク中のデータのロスを最少にするための基地局装置、該基地局装置は下記を具備する：
順方向リンク・パワー・コントロール・インデックスを決定するための順方向リンク・パワー・コントロール機構；
順方向リンク・パワー・コントロール・インデックスにより決定されるパワーレベルを有するブースト・モード・データ・フレームを作るために、データが現在のデータフレームの一部の期間に転送される相対的な出力パワーレベルを増加するためのブースト・モード・マルチプライヤー；
データ・レート・マルチプライヤーにより決定され増加されたデータレートを有するブースト・モード・データ・フレームを作るために、現在のデータ・フレームの一部の期間のデータ・レートを増加するためのデータ・レート・マルチプライヤー；
ブースト・モード・データ・フレームのエラー訂正符号のためのブロック・インタリーバー；
ブースト・モード・データ・フレームのエラー訂正符号のための畳み込み符号器；
フルレートよりも低いブースト・モード・データ・フレームにおけるシンボル反復を形成するためのシンボル反復器；及び
順方向リンクチャネルでのブースト・モード・データ・フレーム中にパワー・コントロール・コマンドのパンクチャーを制御するためのマルチプレクサ。
【請求項１４】  順方向リンクチャネルでのパワー・コントロール命令のパンクチャーをコントロールするためのマルチプレクサがパワーコントロール命令のパンクチャリングを遅らせるように構成される、請求項１３の装置。
【請求項１５】  下記を具備する、移動局受信器が第2周波数に同調する時間期間に第1の周波数で送信される情報を、エラー訂正符号が決定できることを確実にするために、一対のデータフレームの一部の出力パワーレベルを、基地局で、ブーストする方法：
基地局から移動局へ、第1フレームと第2フレームを備える選択されたフレーム対を識別するメッセージを送付する；
順方向リンク・パワー・コントロール・インデックスを増加する；
増加された順方向リンク・パワー・コントロール・インデックスにより決定されたパワーレベルで識別され選択されたフレーム対の最初のフレームの一部を送信する；
選択されたフレーム対の第1のフレームの第2の部分と選択されたフレーム対の第2のフレームの第1の部分の期間での順方向リンク送信を中断する。
【請求項１６】  順方向リンク・パワー・コントロール・インデックスを増加することは、パワーコントロールサブチャネルを使用不能にすることを具備する、請求項１５の方法。
【請求項１７】  順方向リンク・パワー・コントロール・インデックスを再設定することは、パワー・コントロール・サブチャネルを使用可能にすることを具備する、請求項１５の方法。
【請求項１８】  下記を具備する、移動局受信器が第2の周波数に同調する時間期間に第1の周波数で送信される情報を、エラー訂正符号が決定できることを確実にするために、一対のデータフレームの一部のデータレートを、基地局で、ブーストする方法：
基地局から移動局へ、第1フレームと第2フレームを備える選択されたフレーム対を識別するメッセージを送付する；
データ・レート・マルチプライヤにより決定された増加データレートでの識別され選択されたフレーム対の第1のフレームの一部を送信する；
選択されたフレーム対の第2のフレームの第1の部分と選択されたフレーム対の第1のフレームの第2の部分の期間での順方向リンク送信を中断する；及び
データレートマルチプライヤにより決定された増加データレートでの選択されたフレーム対の第2のフレームの第2の部分を送信する。